(57)【特許請求の範囲】
【請求項１】
被検眼の第１の眼特性を測定するための光学系を有する第１測定部と，被検眼の第２の眼特性を測定するための光学系を有する第２測定部とを有し，被検眼に対する前記第１測定部の測定軸と第２測定部の測定軸とが異なる高さとなるように前記第１及び第２測定部が配置された測定ユニットを有し、前記第１及び第２測定部の測定軸を被検眼に対して各々位置合わせして被検眼を測定する眼科装置において、
前記第１測定部を用いて被検眼を測定した際の前記測定ユニットの高さ位置情報を記憶する高さ位置記憶手段と、
前記第１測定部による前記第１の眼特性の測定終了後，前記第２の眼特性を測定する際に、前記高さ位置記憶手段に記憶された高さ位置情報に基づいて前記測定ユニットを駆動制御して高さ調整を行うための駆動制御手段と、
を備えることを特徴とする眼科装置。
【請求項２】
請求項１の眼科装置は、
前記第１測定部または第２測定部による被検眼の測定の際に被検眼の左右を検知する検知手段を有し、
前記高さ位置記憶手段は前記高さ位置情報の記憶の際に前記検知手段による被検眼の左右眼情報に対応付けて高さ位置情報を記憶し、
前記駆動制御手段は前記第２の眼特性を測定する際に前記検知手段によって検知される左右眼情報に対応する前記高さ位置情報を前記高さ位置記憶手段から取得することを特徴とする眼科装置。
【請求項３】
請求項１の眼科装置において、
前記第１測定部を用いて被検眼を測定した際の前記測定ユニットの前後方向の位置情報もしくは左右方向の位置情報の少なくともいずれかを記憶する前後左右位置記憶手段と、
前記第１測定部による前記第１の眼特性の測定終了後，前記第２の眼特性を測定する際に、前記前後左右位置記憶手段に記憶された前記位置情報に基づいて前記測定ユニットを駆動制御して前後方向もしくは左右方向の位置調整を行うための前後左右駆動制御手段と、を備えることを特徴とする眼科装置。
【請求項４】
被検眼の第１の眼特性を測定するための第１測定光学系を有する第１測定部と、被検眼の第２の眼特性を測定するための第２測定光学系を有する第２測定部と、被検眼の前眼部を撮像するための撮像素子を有する観察光学系と、を有し前記第１測定部と前記第２測定部とが上下に積層配置された測定ユニットを備え、
前記測定ユニットを前記撮像素子と共に３次元的に移動させ、前記観察光学系を用いて前記第１測定部の第１測定軸及び第２測定部の第２測定軸を被検眼に対して各々位置合わせして被検眼を測定する眼科装置であって、
前記第２測定軸の高さが、前記第１測定部による測定のために被検眼に対して前記第１測定軸を位置合わせしたときの前記第１測定軸の高さと略同じ高さになるように、前記第１測定軸と前記第２測定軸との間の上下方向における軸間距離分前記測定ユニットを上下方向に移動させる駆動制御手段と、
を備えることを特徴とする眼科装置。
【請求項５】
請求項４の眼科装置は、
前記軸間距離に相当する距離情報を記憶する記憶手段を有し、
前記駆動制御手段は、
前記第１測定部による前記第１の眼特性の測定終了後，前記第２の眼特性を測定する際に、前記記憶手段に記憶された前記距離情報に基づいて前記測定ユニットを駆動制御して高さ調整を行うことを特徴とする眼科装置。
【請求項６】
請求項４の眼科装置において、
前記第１測定光学系は、被検眼の眼屈折力を他覚的に測定する眼屈折力測定光学系であって、
前記第２測定光学系は、ノズルから被検眼角膜に対して流体を噴射することにより被検眼の眼圧を非接触にて光学的に測定する眼圧測定光学系であることを特徴とする眼科装置。
【発明の詳細な説明】
【技術分野】
【０００１】
本発明は、複数の眼特性を測定する眼科装置に関する。
【背景技術】
【０００２】
診察室等の省スペース化や測定作業の手間の軽減や測定時間の短縮化を図るべく、第１の眼特性を測定するための第１測定部と第２の眼特性を測定するための第２測定部を有し、それぞれの測定部を用いて被検眼の測定を行うことにより被検眼の複数の眼特性を測定（検査）する機能を搭載した複合型眼科装置が知られている（特許文献１参照）。特許文献１に開示する眼科装置では、所定のノズルから被検眼角膜に対して流体を噴射することにより被検眼の眼圧を非接触にて測定する眼圧測定部の上に被検眼の眼屈折力を測定する眼屈折力測定部が積層配置され、所定の光学部材を挿脱することにより測定モードを切換えるような構成となっている。
【特許文献１】特開２００４−３１３７５８号公報
【発明の開示】
【発明が解決しようとする課題】
【０００３】
ところで、上記のような複合型眼科装置の場合、まず、被検眼に対して第１測定部の測定光軸をアライメントし、被検眼の第１の眼特性の測定を行う。そして、第１の眼特性の測定終了後、被検眼に対して第２測定部の測定光軸をアライメントし、被検眼の第２の眼特性の測定を行う必要がある。したがって、被検眼に対して複数回のアライメントを必要とする。特に、第１の眼特性及び第２の眼特性を左右眼とも測定する場合には、被検眼に対して４回のアライメントを必要とする。
【０００４】
本発明は、上記問題点を鑑み、複数の眼特性を測定（検査）するための機能を搭載した複合型眼科装置において、複数の眼特性を測定するためのアライメントを効率よく行うことができる眼科装置を提供することを技術課題とする。
【課題を解決するための手段】
【０００５】
上記課題を解決するために、本発明は以下のような構成を備えることを特徴とする。
【０００６】
（１）  被検眼の第１の眼特性を測定するための光学系を有する第１測定部と，被検眼の第２の眼特性を測定するための光学系を有する第２測定部とを有し，被検眼に対する前記第１測定部の測定軸と第２測定部の測定軸とが異なる高さとなるように前記第１及び第２測定部が配置された測定ユニットを有し、前記第１及び第２測定部の測定軸を被検眼に対して各々位置合わせして被検眼を測定する眼科装置において、
前記第１測定部を用いて被検眼を測定した際の前記測定ユニットの高さ位置情報を記憶する高さ位置記憶手段と、
前記第１測定部による前記第１の眼特性の測定終了後，前記第２の眼特性を測定する際に、前記高さ位置記憶手段に記憶された高さ位置情報に基づいて前記測定ユニットを駆動制御して高さ調整を行うための駆動制御手段と、
を備えることを特徴とする。
（２）  （１）の眼科装置は、
前記第１測定部または第２測定部による被検眼の測定の際に被検眼の左右を検知する検知手段を有し、
前記高さ位置記憶手段は前記高さ位置情報の記憶の際に前記検知手段による被検眼の左右眼情報に対応付けて高さ位置情報を記憶し、
前記駆動制御手段は前記第２の眼特性を測定する際に前記検知手段によって検知される左右眼情報に対応する前記高さ位置情報を前記高さ位置記憶手段から取得することを特徴とする。
（３）  （１）の眼科装置において、
前記第１測定部を用いて被検眼を測定した際の前記測定ユニットの前後方向の位置情報もしくは左右方向の位置情報の少なくともいずれかを記憶する前後左右位置記憶手段と、
前記第１測定部による前記第１の眼特性の測定終了後，前記第２の眼特性を測定する際に、前記前後左右位置記憶手段に記憶された前記位置情報に基づいて前記測定ユニットを駆動制御して前後方向もしくは左右方向の位置調整を行うための前後左右駆動制御手段と、を備えることを特徴とする眼科装置。
（４）  被検眼の第１の眼特性を測定するための第１測定光学系を有する第１測定部と、被検眼の第２の眼特性を測定するための第２測定光学系を有する第２測定部と、被検眼の前眼部を撮像するための撮像素子を有する観察光学系と、を有し前記第１測定部と前記第２測定部とが上下に積層配置された測定ユニットを備え、
前記測定ユニットを前記撮像素子と共に３次元的に移動させ、前記観察光学系を用いて前記第１測定部の第１測定軸及び第２測定部の第２測定軸を被検眼に対して各々位置合わせして被検眼を測定する眼科装置であって、
前記第２測定軸の高さが、前記第１測定部による測定のために被検眼に対して前記第１測定軸を位置合わせしたときの前記第１測定軸の高さと略同じ高さになるように、前記第１測定軸と前記第２測定軸との間の上下方向における軸間距離分前記測定ユニットを上下方向に移動させる駆動制御手段と、
を備えることを特徴とする。
（５）  （４）の眼科装置は、
前記軸間距離に相当する距離情報を記憶する記憶手段を有し、
前記駆動制御手段は、
前記第１測定部による前記第１の眼特性の測定終了後，前記第２の眼特性を測定する際に、前記記憶手段に記憶された前記距離情報に基づいて前記測定ユニットを駆動制御して高さ調整を行うことを特徴とする。
（６）  （４）の眼科装置において、
前記第１測定光学系は、被検眼の眼屈折力を他覚的に測定する眼屈折力測定光学系であって、
前記第２測定光学系は、ノズルから被検眼角膜に対して流体を噴射することにより被検眼の眼圧を非接触にて光学的に測定する眼圧測定光学系であることを特徴とする。
【発明の効果】
【０００７】
本発明によれば、複数の眼特性を測定（検査）するための機能を搭載した複合型眼科装置において、複数の眼特性を測定するためのアライメントを効率よく行うことができる。
【発明を実施するための最良の形態】
【０００８】
本発明の一実施形態について図面に基づいて説明する。なお、本実施形態では、眼圧、眼屈折力及び角膜形状を測定する眼科装置を例として説明する。図１は、本実施形態に係る眼科装置の外観構成図である。図１（ａ）は、眼屈折力、角膜形状測定時の状態を表すものであり、図１（ｂ）は、眼圧測定時の状態を表すものである。
【０００９】
眼科装置は、基台１と、基台１に取り付けられた顔支持ユニット２と、基台１上に移動可能に設けられた移動台３と、移動台３に移動可能に設けられた測定ユニット４を備える。測定ユニット４は、被検眼Ｅの眼屈折力及び角膜形状の眼特性（第１の眼特性）を測定するための眼屈折力・角膜形状測定部４ａ（以下、レフ・ケラト測定部と記す）と、レフ・ケラト測定部４ａの上に位置するように積層配置され、非接触で被検眼Ｅの眼圧（第２の眼特性）を測定するための眼圧測定部４ｂとを持つ。このとき、測定ユニット４には、被検眼に対するレフ・ケラト測定部４ａの測定光軸Ｌａと眼圧測定部４ｂの測定光軸Ｌｂとが異なる高さとなるようにレフ・ケラト測定部４ａと眼圧測定部４ｂが配置され、測定光軸Ｌａと測定光軸Ｌｂを被検眼に対して各々位置合わせして被検眼を測定することにより第１及び第２の眼特性を測定することが可能である。
【００１０】
測定ユニット４は、移動台３に設けられたＹ駆動部６（上下動ユニット）により、被検眼に対して上下方向（図１に示すＹ方向）に移動される。また、Ｙ駆動部６は、レフ・ケラト測定部４ａや眼圧測定部４ｂの測定光軸を被検眼と略同じ高さになるように測定ユニット４を被検眼に対して上下方向に移動させる。
【００１１】
また、測定ユニット４は、Ｙ駆動部６の上に設けられたＸＺ駆動部７により、被検眼Ｅに対して左右方向（Ｘ方向）、前後（作動距離）方向（Ｚ方向）に移動される。これにより、測定ユニット４は、３次元方向に移動可能となる。なお、Ｙ駆動部６及びＸＺ駆動部７としては、Ｙ方向に移動可能なＹテーブル上にＸ方向に移動可能なＸテーブルを設け、このＸテーブル上にＺ方向に移動可能なＺテーブルを設け、このＺテーブルの上に測定ユニット４を搭載することにより構成できる。各テーブルの移動はＸＹＺ用の各モータを駆動制御することにより行う。
【００１２】
また、眼圧測定部４ｂは、駆動部８の駆動によりレフ・ケラト測定部４ａに対してＺ方向に移動可能に配置されており、眼圧測定モードの際には眼圧測定部４ｂを被検眼Ｅに近づく方向に移動させ、レフ・ケラト測定モードの際には眼圧測定部４ｂを被検眼Ｅから遠ざかる方向に移動させるために用いられる。
【００１３】
移動台３は、ジョイスティック５の操作により、基台１上をＸ方向及びＺ方向に移動される。また、検者が回転ノブ５ａを回転操作することにより、測定ユニット４はＹ駆動部６のＹ駆動によりＹ方向に移動される。ジョイスティック５の頂部には、測定開始スイッチ５ｂが設けられている。移動台３には、表示モニタ４０が設けられている。
【００１４】
以下、本実施形態の眼科装置の光学系、眼圧測定部４ｂの流体噴射機構、及び本装置の制御系の構成について説明する。図２は、レフ・ケラト測定部４ａと眼圧測定部４ｂの光学系及び制御系の構成について説明するための図である。
【００１５】
まず、眼屈折力測定光学系と角膜形状測定光学系を持つレフ・ケラト測定部４ａの光学系について説明する。１０は被検眼Ｅの眼屈折力を測定するための眼屈折力測定光学系である。測定光学系１０は、眼Ｅの瞳孔中心部を介して眼Ｅの眼底Ｅｆにスポット状の測定指標を投影する投影光学系と、眼底Ｅｆから反射された眼底反射光を瞳孔周辺部を介してリング状に取り出し、二次元撮像素子にリング状の眼底反射像を撮像させる受光光学系と、から構成される。二次元撮像素子からの出力は、制御部２０に入力される。
【００１６】
測定光学系１０に用いられる測定光束を透過するダイクロイックミラー２９は、固視標呈示光学系３０からの固視標光束を眼Ｅに導き、被検眼Ｅの前眼部からの反射光を観察光学系５０に導く。
【００１７】
固視標呈示光学系３０は、固視標呈示用可視光源３１，固視標を持つ固視標板３２，投光レンズ３３，全反射ミラー３４、ダイクロイックミラー３５，及び観察用対物レンズ３６を含み、ダイクロイックミラー２９により光軸Ｌａと同軸にされる。ダイクロイックミラー３５は、可視光を通過し赤外光を反射する特性を有する。この場合、固視光源３１は、眼底Ｅｆと光学的に共役な位置関係となっている。光源３１及び固視標板３２は、光軸方向に移動されることにより、被検眼Ｅの雲霧を行う。
【００１８】
眼Ｅの前眼部の前方には、眼Ｅの角膜Ｅｃにリング指標を投影するための近赤外光を発するリング指標投影光学系４５と、眼Ｅの角膜Ｅｃに無限遠指標を投影することにより被検眼に対する作動距離方向のアライメント状態を検出するための近赤外光を発する作動距離指標投影光学系４６が光軸Ｌａに対して左右対称に配置されている。なお、リング投影光学系４５は、被検眼の角膜形状測定用のリング状指標を投影する投影光学系として用いられる他、アライメント検出用指標、及び眼Ｅの前眼部を照明する前眼部照明としても用いられる。
【００１９】
観察光学系５０は、固視標呈示光学系３０の対物レンズ３６及びダイクロイックミラー３５が共用され、ダイクロイックミラー３５の反射方向の光軸上に配置された，撮像レンズ５１及び二次元撮像素子５２を備える。撮像素子５２からの出力は、制御部２０に入力される。これにより、被検眼Ｅの前眼部像は二次元撮像素子５２により撮像され、モニタ４０上に表示される。なお、この観察光学系５０は、被検眼Ｅの角膜Ｅｃ上に形成されるリング指標Ｒや、投影光学系４６によるアライメント指標像Ｍを撮像する撮像光学系を兼ね、制御部２０によりリング指標像やアライメント指標像の位置が検出される。
【００２０】
次に、眼圧測定部４ｂの空気（流体）吹付機構を図２に基づいて説明する。６１は空気圧縮用のシリンダである。６２はピストンであり、図示なきロータリソレノイドの駆動力によってシリンダ６１内を移動する。ピストン６２の移動によりシリンダ６１内で圧縮された空気は、ノズル６３を介して被検眼Ｅの角膜Ｅｃに向けて噴射される。６４はノズル６３を保持する透明なガラス板である。６５はノズル６３の背後に設けられた透明なガラス板である。ガラス板６５の背後には、後述する観察及びアライメントのための光学系が配置されている。６６はシリンダ６１内の圧力を検出する圧力センサである。圧力センサ６６からの検出信号は、制御部２０に入力され、眼圧値の算出に利用される。
【００２１】
次に、眼圧測定部４ｂの光学系について説明する。なお、眼圧測定部４ｂを使用する場合（眼圧測定時）は、レフ・ケラト測定部４ａの最前面に対して眼圧測定４ｂに設けられたノズル６３が被検眼Ｅ側にせり出した状態にて使用される。
【００２２】
７０は前眼部照明用の赤外光源であり、ノズル６３の軸線と一致する光軸Ｌｂを中心に４個配置されている。光源７０による被検眼Ｅの前眼部像は、光軸Ｌｂ上に配置されたガラス板６５，ハーフミラー７１，対物レンズ７２，ダイクロイックミラー７３及びフィルタ７４を介して、二次元撮像素子７５により撮像される。なお、ダイクロイックミラー７３は、赤外光を透過し可視光を反射する特性を持つ。また、フィルタ７４は、光源７０及び後述する光源８０の光を透過し後述する光源９０の光を透過しない特性を持つ。二次元撮像素子７５により撮像された前眼部像は、制御部２０へ入力されたのちに表示モニタ４０上に表示される。
【００２３】
８０はＸ方向及びＹ方向のアライメント用の赤外光源であり、その光は投影レンズ８１，ハーフミラー７１及びガラス板６５を介して、角膜Ｅｃに正面から投影される。光源８０による角膜反射像は、ガラス板６５からフィルタ７４までを介して撮像素子７５に撮像される。撮像素子７５からの撮像信号は、制御部２０へと入力され、Ｘ方向及びＹ方向のアライメントに利用される。なお、光源７０による角膜反射像をＸ方向及びＹ方向のアライメントに利用することもできる（詳しくは、本出願人による特開平１０−７１１２２号公報を参照）。８５は固視標投影用の可視光源であり、光源８５により照明された固視標８６の光は、投影レンズ８７，ダイクロイックミラー７３，対物レンズ７２，ハーフミラー７１及びガラス板６５を介して、被検眼Ｅに向かう。
【００２４】
９０は角膜Ｅｃの変形状態検出用の赤外光源であり、光源９０による光は、コリメータレンズ９１により略平行光束とされて角膜Ｅｃに投影される。光源９０による角膜反射像は、受光レンズ９２，フィルタ９３，ハーフミラー９４及びピンホール板９５を介して、光検出器９６により受光される。フィルタ９３は、光源９０の光を透過し光源７０及び光源８０の光を透過しない特性を持つ。これら光学系は、角膜Ｅｃが所定の変形状態（偏平状態）のときに光検出器９６の受光量が最大になるように配置されている。光検出器９６からの検出信号は、制御部２０へと入力され、眼圧値の算出に用いられる。
【００２５】
また、光源９０及びコリメータレンズ９１はＺ方向のアライメント検出の指標投影系に共用され、光源９０による角膜反射像は、受光レンズ９２からハーフミラー９４を介してＰＳＤやラインセンサ等の一次元位置検出素子９７に入射する。そして、位置検出素子９７からの検出信号は、制御部２０に入力され、Ｚ方向のアライメント検出に利用される。すなわち、被検眼Ｅ（角膜Ｅｃ）がＺ方向に移動すると、光源９０による角膜反射像の入射位置も位置検出素子９７上を移動するため、位置検出素子９７からの検出信号に基づき被検眼Ｅに対するＺ方向のアライメント状態を検出することができる。
【００２６】
なお、図２においては、説明の便宜上、これら角膜変形検出及び作動距離検出の光学系を上下に配置しているように図示したが、本来は被検眼に対して左右方向に配置されているものである。
【００２７】
次に、制御系の構成について説明する。装置全体の制御や測定値の算出等を行う制御部２０は、レフ・ケラト測定部４ａや眼圧測定部４ｂに備わる各部材の他、表示モニタ４０、Ｙ駆動部６、ＸＺ駆動部７、駆動部８、測定結果等を記憶するメモリ２１、回転ノブ５ａ、測定開始スイッチ５ｂ、及び測定モード選択スイッチ２４ａ等の各種スイッチ群が配置されたスイッチ部２４などが接続されている。
【００２８】
また、制御部２０には、測定ユニット４の高さ位置情報を検出するための検出機構１００が接続されている。測定ユニット４の高さ位置を求める構成としては、例えば、図２に示すように、測定ユニット４の高さが所定位置（例えば、測定開始時の初期位置や下限位置など）にあるかを検知するフォトセンサ１０１をＹ駆動部６付近に設け、Ｙ駆動部６の駆動源として回転数の検出が可能なモータ１０２（例えば、パルスモータやブラシレスモータ）を用いるような構成が考えられる。この場合、フォトセンサ１０１がＹ駆動部６の一部に配置された遮光板１０３を検知すると、Ｙ方向に移動可能なＹテーブル１０４が所定位置に達したことを検知する。そして、制御部２０は、このようにして検知される所定位置を測定ユニット４の高さを求める際の基準とし、所定位置からのモータ１０２の回転数を計測する（例えば、パルスモータの場合、パルスモータに対して付与したパルス数に基づいて求める）ことにより、測定ユニット４の上下方向の高さ位置を求める。
【００２９】
さらに、制御部２０には、装置の固定部（基台１）に対して相対移動可能な測定ユニット４の相対位置（左右方向の位置情報、前後方向の位置情報）を求めるための左右位置検出機構１１０及び前後位置検出機構１２０が接続されている。これにより、測定ユニット４の左右方向の位置と、測定ユニット４の前後方向の位置を検出することが可能となる。測定ユニット４の左右（前後）位置を求める構成としては、例えば、基台１側に２つの光源１１０Ａ及び１１０Ｂを配置し、測定ユニット４側に光源１１０Ａ及び１１０Ｂの光束の入射を制限するスリット板１１２を備える一次元検出素子１１３を配置し、一次元検出素子上で検出された２つのスリット像に基づいて基台１に対する測定ユニット４の相対位置が求めるような構成が考えられる（詳しくは、特開平９−１４９８８５号公報）。なお、左右位置検出機構１１０からの検出結果は、装置の左右中心位置に対する測定ユニット４の左右方向の位置から測定眼が左右眼の何れかであるかを検知したり、両眼を測定した際の測定ユニットの移動距離から被検眼の瞳孔間距離を計測したりするために用いることも可能である。
【００３０】
以上のような構成を備える眼科装置において、その動作について説明する。本実施形態では、レフ・ケラト測定を行った後、眼圧を測定する場合について説明する。
【００３１】
この場合、眼光学特性測定モードとしてレフ・ケラト測定が初めに行われるが、制御部２０は、Ｙ駆動部６を駆動させることによりレフ・ケラト測定部４ａの測定光軸Ｌａと被検眼Ｅがほぼ同じ高さになるようにしておく（ラフで構わない）。この場合、制御部２０は、顔支持ユニット２に形成される図示なきアイレベル確認ラインと測定光軸Ｌａが略同じ高さになるように測定ユニット４の高さ位置を調整する。また、制御部２０は、駆動部８を駆動させることにより、眼圧測定部４ｂをレフ・ケラト測定部４ａに対して装置本体側に後退させ（被検眼Ｅから遠ざかる方向に移動させ）、レフ・ケラト測定を行う際にノズル６３の先端が被検者の額等に接触しないようにしておく。これにより、レフ・ケラト測定が可能な装置形態となる（図３（ａ）参照）。また、制御部２０は、ＸＺ駆動部７を駆動させることにより、測定ユニット４を移動台３に対する原点位置に移動させておくことが好ましい。
【００３２】
以下の説明では、レフ・ケラト測定において、初めに右眼の測定を行い、右眼の測定が完了後、左眼の測定に移行する場合について説明する。まず、被検眼Ｅの右眼ＥＲに対するレフ・ケラト測定部４ａのＸ，Ｙ及びＺ方向のアライメントを行う。ここで、検者はモニタ４０を観察しながらジョイスティック５及び回転ノブ５ａを操作し、ラフなアライメントを行う。すると、二次元撮像素子５２に撮像された前眼部像Ｆがモニタ４０に表示されるようになり、やがて、リング指標投影光学系４５によるリング指標Ｒ及び作動距離投影光学系４６による無限遠指標像Ｍが撮像素子５２により撮像される状態になる。
【００３３】
ここで、制御部２０は、被検眼に対するレフ・ケラト測定部４ａの上下左右方向及び前後方向のアライメント状態を検出することができる。そこで、制御部２０は、アライメント検出結果に基づいてＹ駆動部６及びＸＺ駆動部７を駆動制御することにより測定ユニット４をＸＹＺの各方向に自動的に移動させる（自動アライメント）。これにより、被検眼Ｅとレフ・ケラト測定部４ａとの詳細な位置合わせが行われる。この場合、制御部２０は、例えば、撮像素子５２によって検出されたリング指標Ｒの中心位置の座標を算出することにより被検眼に対するレフ・ケラト測定部４ａの上下左右方向のアライメントずれ量を求めることができる。また、制御部２０は、測定ユニット４が被検眼Ｅに対してＺ（作動距離）方向にずれた場合に、作動距離指標投影光学系４６による角膜Ｅｃ上の無限遠指標Ｍの間隔がほとんど変化しないのに対して、前述のリング指標Ｒの所定経線方向の像間隔が変化するという特性を利用して、被検眼に対するレフ・ケラト測定部４の作動距離方向のアライメントずれ量を求めることができる。
【００３４】
このようにして、ＸＹＺ方向の被検眼に対するアライメントが完了したら自動的に測定が行われる。一方、オートショットがＯＦＦの場合には、アライメントが完了して、検者から測定開始スイッチ５ｂが押されると、測定が開始される。
【００３５】
制御部２０は、まず、撮像素子５２にて撮像されたリング指標像Ｒの形状に基づいて眼Ｅの角膜形状を測定する。このとき、制御部２０は、角膜形状の測定結果をモニタ４０に表示する。そして、測定エラーを除いた測定値が所定数（例えば３個）得られたら、眼屈折力の測定に移行する。
【００３６】
制御部２０は、測定開始信号の入力に基づき測定光学系１０に設けられた測定光源を点灯させる。測定光源から出射された測定光は、図示なき測定光学系１０の投光光学系、ダイクロイックミラー２９を介して、被検眼の眼底Ｅｆに投影され、眼底Ｅｆ上でスポット状の点光源像を形成する。
【００３７】
眼底Ｅｆ上に形成された点光源像の光は、反射・散乱されて被検眼Ｅを射出し、ダイクロイックミラー２９を透過したのち、図示なき測定光学系１０の受光光学系を介してリング像として撮像素子に受光される。
【００３８】
このとき、はじめに眼屈折力の予備測定が行われ、予備測定の結果に基づいて光源３１及び固視標板３２が光軸方向に移動されることにより、被検眼Ｅに対して雲霧がかけられる。その後、雲霧がかけられた被検眼に対して眼屈折力の測定が行われる。
【００３９】
測定光学系１０が持つ撮像素子からの出力信号は、メモリ２１に画像データとして記憶される。その後、制御部２０は、メモリ２１に記憶されたリング画像に基づいて被検眼の眼屈折値、Ｓ（球面度数）、Ｃ（柱面度数）、Ａ（乱視軸角度）の各値を演算し、測定結果をモニタ４０に表示する。そして、測定エラーを除いた測定値が所定数（例えば３個）得られたら、眼屈折力測定を終了する。
【００４０】
眼屈折力及び角膜形状の測定によりそれぞれ予め定められた個数の測定結果が得られる等、所定の測定終了条件が満たされると、右眼の測定を完了とする。ここで、制御部２０は、被検者の右眼のレフ・ケラト測定をした際の測定ユニット４の位置情報ＥＲ（Ｘ、Ｙ、Ｚ）をメモリ２１に記憶させておく。この際、制御部２０は、前述の左右眼検知機構（左右位置検出機構１１０）による被検眼の左右眼情報に対応づけて測定ユニット４の位置情報ＥＲを記憶する。ＥＲ（Ｘ）は測定ユニット４の左右方向の位置情報を表し、左右位置検出機構１１０からの検出結果に基づいて取得可能である。ＥＲ（Ｙ）は測定ユニット４の上下方向の高さ位置情報を表し、高さ位置検出機構１００からの検出結果に基づいて取得可能である。ＥＲ（Ｚ）は測定ユニット４の前後方向の位置情報を表すものであり、前後位置検出機構１２０からの検出結果に基づいて取得可能である。なお、前述の測定ユニット４の位置情報ＥＲ（Ｘ、Ｙ、Ｚ）を検出するタイミングとしては、右眼ＥＲに対するアライメント完了時、や測定完了時などが考えられる。また、現在測定した被検眼が左右眼のいずれかであるかは、左右位置検出機構１１０からの左右検出信号に基づいて取得可能である。
【００４１】
右眼の測定が完了すると、表示モニタ４０の画面上にＦＩＮＩＳＨの文字が表示されるので、検者は、これに基づいて左眼の測定に移行する。このとき、制御部２０は、ＸＺ駆動部７を駆動させることにより、測定ユニット４を移動台３に対する原点位置に復帰させておく。
【００４２】
検者は、ジョイスティック４の操作により基台１に対して移動台３を右方向に移動させることにより、測定ユニット４を被検眼の左眼ＥＬ方向に移動させる（図４参照）。そして、右眼の測定と同様に、検者の手動操作によるレフ・ケラト測定部４ａと被検眼とのラフな位置合わせ、制御部２０の駆動制御による被検眼に対するレフ・ケラト測定部４ａの自動アライメントによって、左眼ＥＬとレフ・ケラト測定部４ａとの位置合わせを行う。
【００４３】
このようにして、アライメントが完了したら自動的に左眼ＥＬに対する測定が行われる。このとき、制御部２０は、右眼測定時と同様に、被検眼の角膜形状・眼屈折力測定を行う。そして、所定の測定終了条件が満たされると、左眼の測定を完了とする。ここで、制御部２０は、被検者の左眼ＥＬのレフ・ケラト測定をした際の測定ユニット４の位置情報ＥＬ（Ｘ、Ｙ、Ｚ）を左右眼情報に対応付けてメモリ２１に記憶しておく。ＥＬ（Ｘ）は測定ユニット４の左右方向の位置情報、ＥＬ（Ｙ）は測定ユニット４の高さ位置情報を示すものであり、ＥＬ（Ｚ）は測定ユニット４の前後方向の位置情報を示すものである。
【００４４】
上記のように眼特性測定モードにて左右眼のレフ・ケラト測定が順次行われ、両眼の測定が完了したら、眼圧測定モードに移行する。なお、この時点で、眼光学特性測定時の測定ユニット４の位置情報（左右位置、高さ位置、前後位置）が左右眼情報に対応付けられた状態でメモリ２１に記憶されている。
【００４５】
測定完了信号が発せられると、制御部２０は、眼圧測定モードへの切換信号を自動的に発し、眼圧を測定するモードに切換える。この場合、測定モード選択スイッチ２４ａからの操作信号に応じて眼圧測定へのモード切換（選択）を行うようにしてもよい。
【００４６】
眼圧測定モードへの切換信号が入力されると、制御部２０は、Ｙ駆動部６を駆動させることにより測定ユニット４を下方向に移動させ、眼圧測定部４ｂの測定光軸Ｌｂと被検眼Ｅとがほぼ同じ高さになるようにする（ラフで構わない）（図３（ｂ）参照）。この場合、制御部２０は、眼圧測定部４ｂの測定光軸Ｌｂがレフ・ケラト測定部４ａによる測定時の測定光軸Ｌａと略同じ高さになるようにＹ駆動部６を制御する。また、制御部２０は、前述のような左右眼検知機構によって検知された左右眼情報に対応する高さ位置情報をメモリ２１から取得する。
【００４７】
測定眼が左眼ＥＬであると判別された場合、制御部２０は、眼圧測定部４ｂの測定光軸Ｌｂと左眼ＥＬとがほぼ同じ高さになるように制御を行う。この場合、制御部２０は、メモリ２１に記憶された左眼に対応する測定ユニット４の高さ位置情報ＥＬ（Ｙ）を取得し、測定ユニット４の高さ位置情報ＥＬ（Ｙ）に対して既知の値である測定光軸Ｌａと測定光軸Ｌｂとの上下方向の光軸間距離分測定ユニット４を移動させる。
【００４８】
また、測定眼が右眼ＥＲであると判別された場合、制御部２０は、眼圧測定部４ｂの測定光軸Ｌｂと右眼ＥＲとがほぼ同じ高さになるように制御を行う。この場合、制御部２０は、メモリ２１に記憶された右眼に対応する測定ユニット４の高さ位置情報ＥＲ（Ｙ）を取得し、測定ユニット４の高さ位置情報ＥＲ（Ｙ）に対して既知の値である測定光軸Ｌａと測定光軸Ｌｂとの上下方向の光軸間距離分測定ユニット４を移動させる。
【００４９】
また、眼圧測定モードへの切換信号が入力されると、移動台３を後方へ移動する旨のメッセージがモニタ４０に表示される。この表示に従って検者がジョイスティック４を手前に引くことにより移動台３が後方に移動され、前後位置検出機構１２０からの検出結果に基づいて測定ユニット４が所定の後方位置まで移動したことが検知されると、制御部２０は、駆動部８の駆動によるレフ・ケラト測定部４ａに対する眼圧測定部４ｂの前進動作が許可される。
【００５０】
眼圧測定部４ｂの前進が許可されると、制御部２０は、駆動部８を駆動させることにより眼圧測定部４ｂを被検眼Ｅへ近づく方向に移動させ、ノズル６３の先端をレフ・ケラト測定部４ａの筐体前面より被検者側に位置する（せり出す）ようにしておく（図３（ｃ）参照）。
【００５１】
以上の動作により、装置が眼圧測定可能な装置形態に移行する。（図３（ｃ）参照）。そして、制御部２０は、モニタ４０に表示する画像を二次元撮像素子７５からの撮像信号に切換える。以下の説明では、初めに左眼の眼圧測定を行い、左眼の測定が完了後、右眼の眼圧測定を行う場合について説明する。制御部２０は、測定眼が左眼になったことが判別されると、メモリ２１に記憶された左眼に対応する高さ位置情報ＥＬ（Ｙ）に基づいて測定ユニット４を駆動制御して高さ調整を行うことにより、眼圧測定部４ｂの測定光軸Ｌｂが左眼ＥＲとほぼ同じ高さになるように調整する。
【００５２】
ここで、被検眼Ｅの左眼ＥＬに対する眼圧測定部４ｂのＸ、Ｙ、Ｚ方向のアライメントを行う。検者はモニタ４０を観察しながらジョイスティック５を操作し、左眼ＥＬに対する眼圧測定部４ｂのＸＺ方向のラフなアライメントを行う。ここで、光源９０による角膜反射像が位置検出素子９７に入射する状態になると、制御部２０は、この検出結果に基づいてＸＺ駆動部７を駆動制御し、Ｚ方向の詳細なアライメントを行う。また、制御部２０は、撮像素子７５の光源８０による角膜反射像の検出結果に基づき、ＸＺ駆動部７及びＹ駆動部６を駆動制御し、Ｘ方向及びＹ方向の詳細なアライメントを行う。
【００５３】
左眼ＥＬに対する眼圧測定部４ｂのＸ，Ｙ及びＺ方向のアライメントがそれぞれ許容範囲に入ると、制御部２０は、自動的にトリガ信号を発し（またはアライメント完了の旨をモニタ４０に表示することにより、検者が測定開始スイッチ５ｂを押してトリガ信号を入力し）、図示なきロータリソレノイドを駆動させる。ロータリソレノイドの駆動によりピストン６２が移動されると、シリンダ６１内の空気が圧縮され、圧縮空気がノズル６３から角膜Ｅｃに向けて吹き付けられる。角膜Ｅｃは、圧縮空気の吹き付けにより徐々に変形し、扁平状態に達したときに光検出器９６に最大光量が入射される。制御部２０は、圧力センサ６６からの出力信号と光検出器９６からの出力信号とに基づき眼圧値を求める。そして、測定結果を表示モニタ４０に表示する。ここで、所定の測定終了条件が満たされると、左眼の測定を完了とする。左眼の測定が完了したら、検者は、右眼の測定に移行する。
【００５４】
検者は、ジョイスティック５を一旦手前に引いてから、右眼の正面にノズル６３を移動させる。ここで、制御部２０は、ＸＺ駆動部７を駆動させることにより、測定ユニット４を移動台３に対する原点位置（ＸＺ方向）に復帰させておく。また、制御部２０は、測定眼が右眼になったことが判別されると、メモリ２１に記憶された右眼に対応する高さ位置情報ＥＲ（Ｙ）に基づいて測定ユニット４を駆動制御して高さ調整を行うことにより、眼圧測定部４ｂの測定光軸Ｌｂが右眼ＥＲとほぼ同じ高さになるように調整する。なお、今回の説明のように、片眼の測定が完了しているような場合、眼圧測定モードで他眼が選択された際の測定ユニット４の高さ調整は、測定眼が片眼から他眼へ移行したと判別される前段階で行うようにしてもよい。例えば、片眼の眼圧測定の測定完了信号が発せられた時点で高さ調整を行うようにしてもよい。
【００５５】
そして、検者は、被検眼Ｅの右眼ＥＲに対する眼圧測定部４ｂのＸ，Ｙ及びＺ方向のアライメントを行う。検者はモニタ４０を観察しながらジョイスティック５を操作し、ラフなアライメントを行う。この場合、左眼の眼圧測定の際と同様に、検者の手動操作による眼圧測定部４ｂと右眼ＥＲとのラフな位置合わせ、制御部２０の駆動制御による被検眼に対する眼圧測定部４ｂの自動アライメントによって、右眼ＥＲと眼圧測定部４ｂとの位置合わせを行う。このようにして、アライメントが完了したら自動的に右眼ＥＲの眼圧測定が行われる。
【００５６】
以上のように、レフ・ケラト測定部４ａによるレフ・ケラト測定終了後、被検眼の眼圧を測定する際に、レフ・ケラト測定時にて記憶された測定ユニット４の高さ位置から光軸Ｌａと光軸Ｌｂとの間の幅だけ測定ユニット４を動かすことにより、眼圧を測定する際に検者が測定ユニット４の高さ調整を行う手間が軽減され、眼圧測定モードでの測定をスムーズに行うことができる。特に、顔支持ユニット２に固定された被検者の顔が傾いて左右眼の高さが上下方向に異なるような場合であっても、左右眼それぞれのアライメント調整を迅速に行うことが可能となる。
【００５７】
なお、以上のように、レフ・ケラト測定終了後、眼圧測定を行う際に、レフ・ケラト測定の際の測定ユニット４の前後左右位置情報に基づいて表示モニタ４０の画面上にガイド表示を行うようにしてもよい。（図５参照）。以下の説明では、眼圧測定モードで右眼ＥＲに対してアライメントを行う場合について説明する。
【００５８】
この場合、制御部２０は、前述の左右眼検知によって測定眼が右眼であると検知される。水平方向に表示される５００は、右眼のレフ・ケラト測定の際にメモリ２１に記憶された測定ユニット４の左右位置ＥＲ（Ｘ）と、左右位置検出機構１１０によって検出される現在の測定ユニット４の左右方向の位置のずれを表現するインジケータである。制御部２０は、インジケータ５００の本数を表示制御することによって眼光学特性測定時の測定ユニット４の左右方向の位置と、現在の測定ユニット４の左右位置との偏位量の大きさを表現する。
【００５９】
５１０は、右眼のレフ・ケラト測定の際にメモリ２１に記憶された測定ユニット４の前後位置ＥＲ（Ｚ）と、前後位置検出機構１２０によって検出される現在の測定ユニット４の前後方向の位置のずれを表現するインジケータである。制御部２０は、インジケータ５００の本数を表示制御することによって眼光学特性測定時の測定ユニット４の前後方向の位置と、現在の測定ユニット４の前後位置との偏位量の大きさを表現する。なお、本実施形態では、眼圧測定モードにおいて被検眼と眼圧測定部４ｂとの作動距離が適正である場合のレフ・ケラト測定部４ａから被検眼までの距離Ｋ１と、レフ・ケラト測定モードにおいて被検眼とレフ・ケラト測定部４ａとの作動距離が適正である場合のレフ・ケラト測定部４ａから被検眼までの距離Ｋ２（K２＝被検眼とレフ・ケラト測定部４ａとの適性作動距離ともいえる）とがほぼ同じ距離となるような構成としたが、これらの距離が異なる場合、制御部２０は、これらの距離の間の差分（Ｋ２−Ｋ１）を考慮して前後位置を演算する。例えば、前後位置ＥＲ（Ｚ）に差分（Ｋ２−Ｋ１）を加えることで、前後位置を求める。
【００６０】
なお、制御部２０は、位置検出素子９７に光源９０による角膜反射像が検出されたら、制御部２０は、表示モニタ４０上のＺ方向のガイド表示を消去するのが好ましい。また、像素子７５の光源８０による角膜反射像が検出されたら、制御部２０は、表示モニタ４０上のＸ方向のガイド表示を消去するのが好ましい。
【００６１】
以上のようなガイド表示に基づいて検者がアライメント操作を行えば、検者が被検眼を探す手間が軽減され、眼圧測定モードでの被検眼に対するラフなアライメントを容易に行うことができる。特に、眼光学特性測定モードから眼圧測定モードに装置形態を移行する際に、検者が測定ユニット４を後方に移動させるような場合のアライメントをスムーズに行うことが可能となる。なお、左右方向のガイド表示は、検者が測定ユニット４を後方に下げた際に、左右方向のいずれかに測定ユニット４が移動してしまうような場合に有効である。
【００６２】
なお、眼圧測定モードにおいて片眼を測定した後に、もう一方の被検眼に対するガイド表示を行うような場合、ノズル６３と被検眼の鼻とが当接しないように、測定ユニット４が中央より左側に移動したことを検知してから開始することが好ましい。
【００６３】
また、制御部２０は、初めに左右方向に関するガイド表示を行い、測定ユニット４の左右位置が所定の左右位置に達して（例えば、インジケータ５００の本数が０になるような場合）から、前後方向に関するガイド表示を行うようにしてもよい。
【００６４】
なお、以上の説明においては、レフ・ケラト測定にて右眼、左眼の順で測定後、眼圧測定にて左眼、右眼の順で測定を行うようにしたが、レフ・ケラト測定の際と同じ順番で、眼圧を測定するような場合でも本発明の適用は可能である。
【００６５】
以下に、本発明の第２実施形態について説明する。なお、上記第１実施形態と同じ番号を付したものについては、特段の説明がない限り、同様の構成を有するものとする。
【００６６】
なお、第２実施形態では、基台１に対して移動台３は固定された状態となっており、測定ユニット４の３次元移動によって被検眼に対するアライメントを行う。この場合、ＸＺ駆動部７は、移動台３の移動無しに被検眼に対するアライメントを行うことができるように、移動可能範囲を大きく確保しておく。これにより、第２実施形態では、上記第１実施形態で示した測定動作を自動的に行うことができる。なお、ジョイスティック４の操作信号は電気的に検出できるような構成となっており、電気的に検出された操作信号に基づいてＸＺ駆動部７が駆動するような構成となっている。
【００６７】
この場合、左右位置検出機構１１０として、例えば、測定ユニット４が所定の左右位置（例えば、左右中央位置）にあるかを検知するセンサをＸＺ駆動部７付近に設けると共に、ＸＺ駆動部６のＸ方向駆動用の駆動源として回転数の検出が可能なモータ（例えば、パルスモータやブラシレスモータ）を用いることにより、測定ユニット４の左右方向の位置情報を検出することができる。また、前後位置検出機構１２０についても、左右方向の位置情報を検出する構成と同様の構成を用いることにより、測定ユニット４の前後方向の位置情報を検出することができる。
【００６８】
本実施形態では、レフ・ケラト測定にて、右眼、左眼の順で測定を行い、眼圧測定にて、左眼、右眼の順で測定を行うように予め設定されている。ここで、被検眼Ｅの右眼に対するレフ・ケラト測定部４ａのＸ，Ｙ及びＺ方向のアライメントを行う（図３（ａ）参照）。なお、レフ・ケラト測定モードにおいて最初の眼を測定する際には、検者の手動アライメントが用いられる。すなわち、検者はモニタ４０を観察しながらジョイスティック５及び回転ノブ５ａを操作し、ラフなアライメントを行う。このようにして、ラフなアライメントが完了したら、制御部２０の制御による自動アライメント機能を動作させる。
【００６９】
このようにして、アライメントが完了したら自動的に測定が行われる。なお、測定開始後の動作については、第１の実施形態と同様であるため、省略する。
【００７０】
そして、眼屈折力及び角膜形状の測定によりそれぞれ予め定められた個数の測定結果が得られる等、所定の測定終了条件が満たされると、右眼の測定を完了とする。ここで、制御部２０は、被検者の右眼のレフ・ケラト測定をした際の測定ユニット４の位置情報ＥＲ（Ｘ、Ｙ、Ｚ）をメモリ２１に記憶させておく。この際、制御部２０は、前述の左右眼検知機構（左右位置検出機構１１０）による被検眼の左右眼情報に対応づけて測定ユニット４の位置情報ＥＲを記憶する。
【００７１】
右眼の測定が完了すると、制御部２０は、表示モニタ４０の画面上にＦＩＮＩＳＨの文字を表示すると共に、左眼の測定に移行する（図４参照）。
【００７２】
ここで、制御部２０は、ＸＺ駆動部７を駆動させ、測定ユニット４を右方向に移動させることにより、測定ユニット４を被検眼の左眼ＥＬ方向に移動させる。そして、左眼ＥＬが撮像素子５２により検出されるようになると、自動アライメントを動作させる。この場合、例えば、左右位置検出機構１１０からの検出結果に基づいて左右中心位置から右眼ＥＲの測定位置までの距離Ｌを算出しておき、算出された距離Ｌの２倍分測定ユニット４を右方向に移動させるような手法が考えられる。
【００７３】
このようにして、アライメントが完了したら自動的に左眼の測定が行われる。このとき、制御部２０は、右眼測定時と同様に、被検眼の角膜形状・眼屈折力測定が行う。そして、所定の測定終了条件が満たされると、左眼のレフ・ケラト測定を完了とする。ここで、制御部２０は、被検者の左眼ＥＬのレフ・ケラト測定をした際の測定ユニット４の位置情報ＥＬ（Ｘ、Ｙ、Ｚ）を左右眼情報に対応付けてメモリ２１に記憶しておく。
【００７４】
上記のように眼特性測定モードにて左右眼のレフ・ケラト測定が順次行われ、両眼の測定が完了したら、眼圧測定モードに移行する。なお、この時点で、眼光学特性測定時の測定ユニット４の位置情報（高さ位置、左右位置、前後位置）が左右眼情報に対応付けられた状態でメモリ２１に記憶されている。
【００７５】
測定完了信号が発せられると、制御部２０は、眼圧測定モードへの切換信号を自動的に発し、眼圧を測定するモードに切換える。
【００７６】
ここで、眼圧測定モードへの切換信号が入力されると、制御部２０は、Ｙ駆動部６を駆動させることにより測定ユニット４を下方向に移動させ、眼圧測定部４ｂの測定光軸Ｌｂと左眼ＥＬとがほぼ同じ高さになるようにする（ラフで構わない）（図３（ｂ）参照）。この場合、制御部２０は、メモリ２１に記憶された左眼に対応する高さ位置情報ＥＬ（Ｙ）に基づいて測定ユニット４を駆動制御して高さ調整を行うことにより、眼圧測定部４ｂの測定光軸Ｌｂが左眼ＥＲとほぼ同じ高さになるように調整する。
【００７７】
また、制御部２０は、眼圧測定モードへの切換信号が入力されると、ＸＺ駆動部７の駆動により測定ユニット４を後方へ移動させる。そして、前後位置検出機構１２０により測定ユニット４が所定の後方位置まで移動したことを検知すると、レフ・ケラト測定部４ａに対する眼圧測定部４ｂの前進動作が許可される。
【００７８】
眼圧測定部４ｂの前進動作が許可されると、制御部２０は、駆動部８を駆動させることにより眼圧測定部４ｂを被検眼Ｅへ近づく方向に移動させ、ノズル６３の先端をレフ・ケラト測定部４ａの筐体前面より被検者側に位置する（せり出す）ようにしておく（図３（ｃ））参照）。
【００７９】
以上の動作により、装置が眼圧測定可能な装置形態に移行される。そして、制御部２０は、モニタ４０に表示する画像を二次元撮像素子７５からの撮像信号に切換える。
【００８０】
ここで、制御部２０は、ＸＺ駆動部７を駆動制御して左眼ＥＲに対する眼圧測定部４ｂのＺ方向のアライメントを行う。このとき、制御部２０は、眼特性測定モードでの左眼測定時の測定ユニット４のＺ方向位置ＥＬ（Ｚ）に測定ユニット４を移動させる。上記のようにして、光源９０による角膜反射像が位置検出素子９７に入射する状態になると、制御部２０は、この検出結果に基づいてＸＺ駆動部７を駆動制御し、Ｚ方向のアライメントの微調整を行う。また、制御部２０は、撮像素子７５の光源８０による角膜反射像の検出結果に基づき、ＸＺ駆動部７及びＹ駆動部６を駆動制御し、Ｘ方向及びＹ方向のアライメントの微調整を行う。
【００８１】
被検眼Ｅに対する眼圧測定部４ｂのＸ，Ｙ及びＺ方向のアライメントがそれぞれ許容範囲に入ると、制御部２０は、自動的にトリガ信号を発し眼圧測定を行う。そして、測定結果を表示モニタ４０に表示する。そして、左眼の眼圧測定が完了すると、制御部２０は右眼の測定に移行する。
【００８２】
制御部２０は、ＸＺ駆動部７を駆動制御して測定ユニット４のノズル６３を右眼の正面に移動させる。このとき、制御部２０は、ノズル６３と被検眼の鼻との当接を回避するよう測定ユニット４を後方に移動させながら、測定ユニット４を左方向に移動させる。
【００８３】
また、制御部２０は、眼圧測定部４ｂの測定光軸Ｌｂと右眼ＥＲとがほぼ同じ高さになるようにする。この場合、制御部２０は、メモリ２１に記憶された右眼に対応する高さ位置情報ＥＲ（Ｙ）に基づいて測定ユニット４を駆動制御して高さ調整を行うことにより、眼圧測定部４ｂの測定光軸Ｌｂが右眼ＥＲとほぼ同じ高さになるように調整する。
【００８４】
ここで、制御部２０は、ＸＺ駆動部７を駆動制御して右眼ＥＲに対する眼圧測定部４ｂのＸ及びＺ方向のアライメントを行う。制御部２０は、基台１に対して測定ユニット４が中央より左側に移動したことを検知したら、眼光学特性モードで右眼を測定した際の測定ユニット４の位置ＥＬ（Ｘ、Ｚ）に基づいてＸＺ駆動部７を駆動制御する。すなわち、制御部２０は、眼光学特性モードで右眼を測定した際の左右方向の測定ユニット４の位置ＥＲ（Ｘ）に測定ユニット４を移動させる。また、制御部２０は、眼特性測定モードでの右眼測定時の測定ユニット４のＺ方向位置ＥＲ（Ｚ）に測定ユニット４を移動させる。
【００８５】
そして、測定ユニット４が左右位置ＥＲ（Ｘ）、前後位置ＥＲ（Ｚ）まで移動し、光源
９０による角膜反射像が位置検出素子９７に入射する状態になると、制御部２０は、この検出結果に基づいてＸＺ駆動部７を駆動制御し、Ｚ方向のアライメントの微調整を行う。また、制御部２０は、撮像素子７５の光源８０による角膜反射像の検出結果に基づき、ＸＺ駆動部７及びＹ駆動部６を駆動制御し、Ｘ方向及びＹ方向のアライメントの微調整を行う。そして、被検眼Ｅに対する眼圧測定部４ｂのＸ，Ｙ及びＺ方向のアライメントがそれぞれ許容範囲に入ると、制御部２０は、自動的にトリガ信号を発し眼圧測定を行う。
【００８６】
第２の実施形態によれば、検者のアライメント操作の手間を軽減すると共に、眼圧測定の際のアライメント調整を迅速に行うことができる。よって、測定時間が短縮化できる。
【００８７】
なお、以上の説明においては、眼光学特性モードにて左右眼を順次測定したのちに、眼圧測定モードにて左右眼の眼圧を順次測定する場合、眼光学特性モードでの測定完了時点での測定眼から先に眼圧測定を行うような構成としたことにより、測定時間を短縮かできる。例えば、以上の実施形態のように、眼光学特性測定モードにて右眼、左眼を測定後、眼圧測定モードにて左眼、右眼の順で測定を行うような測定手順としたため、測定ユニット４の移動に無駄が無く、眼光学特性測定モード終了から眼圧測定モード完了までを短時間で行うことができる。なお、前述の眼光学特性モードでの測定完了時点での測定眼から先に眼圧測定を行う動作モードと、眼光学特性測定モードにて左右眼を順次測定するのと同じ順番で眼圧測定を行う動作モードとをスイッチ部２４にて選択できるような構成としてもよい。
【００８８】
なお、以上の説明においては、測定ユニット４を後方に下げてから眼圧測定部４ｂのノズル６３をせり出すような構成としたが、測定ユニット４を後方に移動させると共に、測定ユニット４を中央位置に移動させ被検眼の鼻の前にノズル６３を退避させた状態でノズル６３を前進させるような構成としても良い。このようにすれば、装置形態が眼圧測定形態に移行する際に、被検眼に対してノズル６３が向かってくるという印象を軽減でき、被検者に対して安心感を与えることができる。
【００８９】
また、上記のように眼光学特性測定形態から眼圧測定形態に装置形態を移行する際、被検眼と眼圧測定部４ｂの測定光軸Ｌｂの高さをほぼ一致させるべく測定ユニット４の高さを調整するが、測定ユニット４のノズル６３が被検眼の眼前に位置する間に、前述のノズル６３のせり出し動作を行うようにしてもよい。このようにすれば、被検眼に対してノズル６３が向かってくるという印象を軽減でき、被検者に対して安心感を与えることができる。
【００９０】
なお、以上の説明においては、レフ・ケラト測定の際の測定ユニット４の左右眼それぞれの高さ位置情報ＥＬ（Ｙ）及びＥＲ（Ｙ）に対して測定光軸Ｌａと測定光軸Ｌｂとの上下方向の光軸間距離分差し引くことにより眼圧測定の際の測定ユニット４の高さ位置を求めるようにしたが、これに限るものではない。すなわち、左眼のレフ・ケラト測定の際の測定ユニット４の高さ位置情報ＥＬ（Ｙ）と右眼のレフ・ケラト測定の際の測定ユニット４の高さ位置情報ＥＲ（Ｙ）との差分を用いて高さ位置を求めるようにしてもよい。例えば、左眼のレフ・ケラト測定の際の測定ユニット４の高さ位置情報ＥＬ（Ｙ）に対して測定光軸Ｌａと測定光軸Ｌｂとの上下方向の光軸間距離分差し引くことにより左眼ＥＬの眼圧を測定する際の測定ユニット４の高さ位置を求めておき、求められた高さ位置に対して高さ位置情報ＥＲ（Ｙ）とＥＬ（Ｙ）との差分を加えることにより、右眼ＥＲの眼圧を測定する際の測定ユニット４の高さ位置を求めるようにしてもよい。
【００９１】
なお、以上の説明においては、第１測定部を用いた第１の眼特性の測定終了後、第２測定部を用いて第２の眼特性を測定する際に、第１の眼特性の測定時に記憶された測定ユニットの高さに対して第１測定部の測定光軸と第２測定部の測定光軸との光軸間距離分測定ユニットを移動させるようにしたが、これに限るものではない。すなわち、第１の眼特性の測定時に測定ユニットの高さを記憶しておき、第２測定部の測定光軸が被検眼とほぼ同じ高さになるように記憶された高さに基づいて測定ユニットの高さ調整を行うような制御であればよい。例えば、第１の眼特性の測定時の測定ユニットの高さを記憶したのち、第２の眼特性の測定を行うために測定ユニットの高さ調整する際、記憶された測定ユニットの高さから第２測定部が持つ前眼部観察光学系の撮像素子（本実施形態であれば、撮像素子７５）に被検眼の前眼部が撮像される高さまで測定ユニットを移動させるようなものであってもよい。
【００９２】
また、同一被検眼（例えば、右眼）に対してレフ・ケラト測定を行った際の測定ユニット４の高さ位置と、同一被検眼（例えば、右眼）に対して眼圧測定を行った際の測定ユニット４の高さ位置をメモリ２１に記憶させておき、これに基づいて測定光軸Ｌａと測定光軸Ｌｂとの上下方向の高さの偏位量を補正するようにしてもよい。このようにすれば、装置特有の測定光軸Ｌａと測定光軸Ｌｂとの光軸間距離が得られるため、より精度良くアライメントを行うことができる。
【００９３】
以上の説明においては、レフ・ケラトの測定終了の信号に応じて眼圧を測定するための測定ユニット４の高さ調整を行うような制御としたが、これに限るものではなく、レフ・ケラト測定終了から被検眼と眼圧測定部４ｂとのアライメントを開始するまでの間に高さ調整がされていればよい。例えば、レフ・ケラト測定終了後、前述のように測定ユニット４が所定の後方位置まで移動したことが検知されてから高さ調整を開始するようにしてもよい。また、高さ調整を行うタイミングを複数に分け、結果的に被検眼と眼圧測定部４ｂの測定光軸Ｌｂがほぼ同じ高さになるように高さ調整を行うようにしてもよい。
【００９４】
また、以上のように眼特性測定モードで左右眼を測定し、眼圧測定モードで左右眼を測定したのち、再度同じ被検者に対して再測定するような場合であっても本発明の適用は可能である。例えば、右眼の眼光学特性を再測定するような場合、はじめに右眼の眼光学特性を測定した際の測定ユニット４の位置情報を用いて被検眼に対するアライメント制御を行うことが可能である。
【００９５】
なお、以上説明した装置において、装置の電源の投入、測定結果の印刷、測定結果のクリアを実行するための指令信号のうちのいずれかが入力された場合、制御部２０は、予め設定された初期位置に測定ユニット４を復帰させるような構成となっている。
【００９６】
なお、第１測定部による第１の眼特性の測定終了後、第２測定部を用いて第２の眼特性を測定する際の測定ユニット４の自動高さ調整について、第１測定部による第１の眼特性の測定終了後，第２の眼特性を測定する際に、第２測定部の測定光軸が第１測定部による測定時の測定光軸と略同じ高さになるように前記測定ユニットを駆動制御して高さ調整を行うものであればよい。より具体的には、第１測定部の測定光軸と第２測定部の測定光軸との上下方向における光軸間距離に相当する距離情報を予め記憶しておき、第１測定部による第１の眼特性の測定終了後、第２の眼特性を測定する際に、記憶された距離情報に基づいて前記測定ユニットを駆動制御して高さ調整を行うものであればよい。
【００９７】
例えば、制御部２０は、レフ・ケラト測定モードにおけるレフ・ケラト測定部４ａによる被検眼の角膜形状・眼屈折力測定終了後、自動もしくは手動操作（例えば、スイッチ２４ａ）によって眼圧測定モードへの切換信号が入力されたら、レフ・ケラト測定終了後の測定ユニット４の高さ位置に対して測定光軸Ｌａと測定光軸Ｌｂの光軸間距離分測定ユニット４を下方向に移動させるようにＹ駆動部６を駆動させるようにしてもよい。この場合、測定光軸Ｌａと測定光軸Ｌｂとの光軸間距離を予めメモリ１２０に記憶させておいてもよいし、被検眼に対してレフ・ケラト測定部４ａをアライメントした状態から被検眼に対して眼圧測定部４ｂをアライメントした状態になるまでのＹ駆動部６の駆動量を算出し，光軸間距離としてメモリ３０１に記憶させるようにしてもよい。
【図面の簡単な説明】
【００９８】
【図１】本実施形態に係る眼科装置の外観構成図である。
【図２】レフ・ケラト測定部と眼圧測定部の光学系及び制御系の構成について説明するための図である。
【図３】眼屈折力及び角膜形状の測定から眼圧を測定するまでの装置形態の変化を示す図である。
【図４】レフ・ケラト測定部を用いて左右眼を順次測定する際の図である。
【図５】測定ユニットの前後左右位置情報に基づいて表示モニタの画面上にガイド表示を行う場合の図である。
【符号の説明】
【００９９】
４  測定ユニット
４ａ  レフ・ケラト測定部
４ｂ  眼圧測定部
６  Ｙ駆動部
７  ＸＺ駆動部
２０  制御部
２１  メモリ
４０  表示モニタ
５００  インジケータ
５１０  インジケータ
１００  高さ位置検出機構
１１０  左右位置検出機構
１２０  前後位置検出機構
Ｌａ  レフ・ケラト測定部の測定光軸
Ｌｂ  眼圧測定部の測定光軸
【図１】
0005201852.tif 000002
【図２】
0005201852.tif 000003
【図３】
0005201852.tif 000004
【図４】
0005201852.tif 000005
【図５】
0005201852.tif 000006